(57)【要約】  照明器具（１）のための装置は、制御デバイス（１０）と無線で通信するための無線通信インターフェース（６）、光センサ（７）及びコントローラ（５）を含む。 コントローラ（５）は、光センサ（７）が照射されると無線通信インターフェース（６）が制御デバイス（１０）と無線通信できるように、無線通信インターフェース（６）を制御するよう構成される。
2020516027.tif 000002
【特許請求の範囲】
【請求項１】
照明器具のための装置であって、当該装置は、
制御デバイスと無線通信するための無線通信インターフェースと、
光センサと、
コントローラと
を備え、
前記コントローラは、前記光センサが照射されると前記無線通信インターフェースが第１のモードから第２のモードに切り替わるように前記無線通信インターフェースを制御するよう構成され、前記第１のモードでは、前記無線通信インターフェースは、アドバタイジングメッセージを送信せず、前記第２のモードでは、前記無線通信インターフェースは、該無線通信インターフェースが１つ以上のアドバタイジングメッセージを無線送信するアドバタイジング状態に入る、装置。
【請求項２】
前記コントローラは、制御デバイスとの無線接続が成功するとアドバタイジングメッセージの送信を停止するように前記無線通信インターフェースを制御するよう構成される、請求項１に記載の装置。
【請求項３】
前記コントローラは、前記無線通信インターフェースが前記アドバタイジング状態に入ってから所定時間内に制御デバイスとの通信が発生しない場合、アドバタイジングメッセージの送信を停止するように前記無線通信インターフェースを制御するよう構成される、請求項１又は２に記載の装置。
【請求項４】
前記コントローラは、前記無線通信インターフェースが前記光センサが照射される時点でオフである場合に前記光センサが照射されると前記無線通信インターフェースをオンにするよう構成される、請求項１、２又は３に記載の装置。
【請求項５】
請求項１乃至４のいずれか一項に記載の装置及び光源を備える照明器具。
【請求項６】
照明器具を動作させる方法であって、当該方法は、
前記照明器具の光センサの照射を検出するステップと、
前記照明器具の無線通信インターフェースが第１のモードから第２のモードに切り替わるように前記光センサが照射されると前記照明器具のコントローラにより該無線通信インターフェースを制御するステップと
を含み、
前記第１のモードでは、前記無線通信インターフェースは、アドバタイジングメッセージを送信せず、前記第２のモードでは、前記無線通信インターフェースは、該無線通信インターフェースが１つ以上のアドバタイジングメッセージを無線送信するアドバタイジング状態に入る、方法。
【請求項７】
前記コントローラが、制御デバイスとの無線接続が成功するとアドバタイジングメッセージの送信を停止するように前記無線通信インターフェースを制御するステップを含む、請求項６に記載の方法。
【請求項８】
前記コントローラが、前記無線通信インターフェースが前記アドバタイジング状態に入ってから所定時間内に制御デバイスとの通信が発生しない場合、アドバタイジングメッセージの送信を停止するように前記無線通信インターフェースを制御するステップを含む、請求項６又は７に記載の方法。
【請求項９】
前記コントローラが、前記無線通信インターフェースが前記光センサが照射される時点でオフである場合に前記光センサが照射されると前記無線通信インターフェースをオンにするステップを含む、請求項６、７又は８に記載の方法。
【発明の詳細な説明】
【技術分野】
【０００１】
本開示は、照明器具のための装置及び照明器具を動作させる方法に関する。
【背景技術】
【０００２】
照明器具はますます「接続(connected)」されている、すなわち、照明器具は別個の制御デバイスによって制御及び／又は保守されることができる。照明器具は、典型的には、照明器具の動作を制御するための何らかのコントローラを有する。例えば、照明器具をコミッショニングする若しくはコントローラで実行されるソフトウェアを更新する及び／又は照明器具から使用データ及び診断データを取得するために照明器具に無線で接続する必要があることがよくある。
【発明の概要】
【発明が解決しようとする課題】
【０００３】
しかしながら、特にある場所に多くの照明器具がある場合、無線接続がなされるべきである特定の照明器具を識別することは、制御デバイス又は制御デバイスのユーザにとって困難であり得る。
【課題を解決するための手段】
【０００４】
本明細書で開示される第１の態様によれば、照明器具のための装置であって、当該装置は、
制御デバイスと無線通信するための無線通信インターフェースと、
光センサと、
コントローラと
を備え、
制御デバイスは、光センサが照射されると無線通信インターフェースが制御デバイスと無線通信できるように、無線通信インターフェースを制御するよう構成される、装置が提供される。
【０００５】
例として、これは、ユーザが、ユーザの制御デバイスと照明器具の装置との間の接続がなされ得るように対象の照明器具を簡単に「アクティブにする(activate)」ことを可能にする。ユーザは、問題の照明器具（の光センサ）に光を照らす必要しかない。これが装置のコントローラによって検出されると、該コントローラは、ユーザの制御デバイスと無線通信できるように無線通信インターフェースを制御することができる。これは、例えばコード、パスワード、メッセージ又はシグネチャがライトフラッシュによって伝達される必要なく、例えばシンプルなライトフラッシュを使用して実現されてもよい。
【０００６】
一例では、コントローラは、光センサが照射されると無線通信インターフェースが、該無線通信インターフェースが１つ以上のアドバタイジングメッセージ(advertising message)を無線送信するアドバタイジング状態(advertising state)に入るように、無線通信インターフェースを制御するよう構成される。
【０００７】
本明細書で開示される第２の態様によれば、照明器具のための装置であって、当該装置は、
制御デバイスと無線通信するための無線通信インターフェースと、
光センサと、
コントローラと
を備え、
コントローラは、光センサが照射されると無線通信インターフェースが、該無線通信インターフェースが１つ以上のアドバタイジングメッセージを無線送信するアドバタイジング状態に入るように無線通信インターフェースを制御するよう構成される、装置が提供される。
【０００８】
これに関連して、アドバタイジングメッセージは、照明器具の無線通信インターフェースの存在をアドバタイズする。斯かるアドバタイジングメッセージは、無線通信インターフェースの論理アドレスを含んでもよい。これは、（制御デバイス等の）リモートデバイスが、照明器具の存在、及び無線通信インターフェースの論理アドレスも検出することを可能にし、これにより、無線通信インターフェース及び制御デバイス間の接続がなされ得る。
【０００９】
一例では、コントローラは、制御デバイスとの無線接続が成功するとアドバタイジングメッセージの送信を停止するように無線通信インターフェースを制御するよう構成される。
【００１０】
一例では、コントローラは、無線通信インターフェースがアドバタイジング状態に入ってから所定時間内に制御デバイスとの通信が発生しない場合、アドバタイジングメッセージの送信を停止するように無線通信インターフェースを制御するよう構成される。
【００１１】
一例では、コントローラは、無線通信インターフェースが光センサが照射される時点でオフである場合に光センサが照射されると無線通信インターフェースをオンにするよう構成される。無線通信インターフェースは、電力を節約するために、デフォルトでオフ状態であってもよい。これは、例えば、照明器具が無線通信インターフェースを介して他の照明器具又はネットワーク等に（無線で）接続されていない場合であり得る。斯かる場合において、無線通信インターフェースは先ず、光センサが照射されるとオンにされ、その後アドバタイジングメッセージを送信することができる。
【００１２】
また、上述した装置及び光源を含む照明器具が提供されてもよい。
【００１３】
本明細書で開示される第３の態様によれば、照明器具を動作させる方法であって、当該方法は、
光センサの照射を検出するステップと、
照明器具の無線通信インターフェースが制御デバイスと無線通信できるように光センサが照射されると照明器具のコントローラが該無線通信インターフェースを制御するステップと
を含む、方法が提供される。
【００１４】
一例では、コントローラは、光センサが照射されると無線通信インターフェースが、該無線通信インターフェースが１つ以上のアドバタイジングメッセージを無線送信するアドバタイジング状態に入るように、無線通信インターフェースを制御する。
【００１５】
本明細書で開示される第４の態様によれば、照明器具を動作させる方法であって、当該方法は、
照明器具の光センサの照射を検出するステップと、
照明器具の無線通信インターフェースが、該無線通信インターフェースが１つ以上のアドバタイジングメッセージを無線送信するアドバタイジング状態に入るように光センサが照射されると照明器具のコントローラが該無線通信インターフェースを制御するステップと
を含む、方法が提供される。
【００１６】
一例では、コントローラは、制御デバイスとの無線接続が成功するとアドバタイジングメッセージの送信を停止するように無線通信インターフェースを制御する。
【００１７】
一例では、コントローラは、無線通信インターフェースがアドバタイジング状態に入ってから所定時間内に制御デバイスとの通信が発生しない場合、アドバタイジングメッセージの送信を停止するように無線通信インターフェースを制御する。
【００１８】
一例では、コントローラは、無線通信インターフェースが光センサが照射される時点でオフである場合に光センサが照射されると無線通信インターフェースをオンにする。
【００１９】
実際には、いくつかの例及びこの点に関して、照明器具のための装置は、照明器具を２つのモードのうちの一方で動作させることになる。第１のモードでは、無線通信インターフェースはオフ状態であるか、少なくとも他のデバイスと通信しないか、又は少なくともアドバタイジングメッセージを送信しない。第２のモードでは、無線通信インターフェースはオン状態であるか、少なくとも他のデバイスと通信する若しくは通信することができるか、又は少なくともアドバタイジングメッセージを送信する。装置は、光センサが照射されることにより、第１のモードから第２のモードに移行させることができる。無線通信インターフェースが第２のモード、例えば、ディスカバリモード(discovery mode)又はアドバタイジング状態に入れられる前に閾値が光センサの照射に関連付けられてもよい。閾値は、例えば、光強度、照射の持続時間、ある期間にわたって受ける光の総量、光のスペクトル組成、又はそれらの任意の組み合わせに関連してもよい。
【図面の簡単な説明】
【００２０】
本開示の理解を助け、実施形態がどのように実施され得るかを示すために、例として添付の図面を参照する。
【図１】照明器具、制御デバイス及オプションのトーチ（フラッシュライト）の一例を概略的に示す。
【図２】照明器具を動作させる方法の一例を概略的に示す。
【図３】照明器具を動作させる方法の別の例を概略的に示す。
【図４】照明器具を動作させる方法の別の例を概略的に示す。
【図５】照明器具を動作させる方法の別の例を概略的に示す。
【発明を実施するための形態】
【００２１】
照明器具は、環境を照らすのに適した光を発するよう構成され、その目的に適したスケールでの照明を提供する又は実質的に貢献するデバイス又は構造体(structure)である。照明器具は、ＬＥＤベースのランプ、ガス放電ランプ又はフィラメント電球等の少なくとも１つの光源又はランプと、任意の関連する支持体、ケーシング又は他のそのようなハウジングとを備える。
【００２２】
上記で簡単に述べたように、照明器具はますます「接続(connected)」されている、すなわち、照明器具は別個の制御デバイスによって制御及び／又は保守されることができる。照明器具は、典型的には、照明器具及び照明器具のコンポーネントの動作を制御するための何らかのコントローラを有する。例えば、コントローラで実行されるソフトウェアを更新する及び／又は照明器具から使用データ及び診断データを取得するために照明器具に無線で接続する必要があることがよくある。しかしながら、特に特定の場所に多くの照明器具がある場合、無線接続がなされるべきである特定の照明器具を識別することは、制御デバイス又は制御デバイスのユーザにとって困難であり得る。
【００２３】
特定の例として、ユーザは、照明器具コントローラを更新するために及び／又は照明器具から使用データ及び診断データを取得するために制御デバイスを使用し、その際、制御デバイスは、照明器具（又はより正確には、照明器具のコントローラ）に無線接続する場合がある。これを行えるために、制御デバイスは、照明器具の存在を検知し、また照明器具から論理アドレスを取得して、制御デバイス及び照明器具間でペア接続(paired connection)を設定できる必要がある。これを可能にするために、照明器具は、周期的に自身の存在と論理アドレスを無線でブロードキャストし、リモートデバイスからの接続を受け入れることができる、ペアリングモード又はディスカバリモードに入ることが知られている。（これは、照明器具が、照明器具が「アドバタイジングメッセージ」をブロードキャストする「アドバタイジング状態」にあるとも称される。）アドバタイジングメッセージは、ユーザの制御デバイスによって受信され、該制御デバイスは、対応する照明器具に関する情報を該制御デバイスのスクリーンに表示する。その後、ユーザは、制御デバイスと照明器具にペア接続を設定させることができる。
【００２４】
ここで、ある領域又は場所に照明器具が１つしかない場合、ユーザは、制御デバイスのスクリーンに表示される情報が当該１つの照明器具に対応するに違いないことが分かるであろう。同様に、ある領域又は場所に少数の照明器具しかない場合、特にそれらの照明器具が互いに比較的遠く離れている場合、ユーザは、どの照明器具がスクリーンに表示される情報に対応するか簡単に分かる。これは、例えば、照明器具について表示される信号強度に依存することによってもよく、場合によっては、ユーザが動き回り、受信される信号強度を変化させることによってもよい。しかしながら、多数の照明器具が存在する場合、及び／又は、照明器具が互いに近くに位置する場合、対象とする特定の照明器具を制御デバイス上で識別することはユーザにとって非常に困難であり得る。例えば、制御デバイスは、制御デバイスからよく似た距離にあるので信号強度が実際上同じであるようないくつかの照明器具に関する情報を表示している場合がある。さらに、制御デバイスは、ユーザには見えない照明器具に関する情報を表示している場合さえある。例えば、ユーザの真下にある建物の床の天井に照明器具が位置する場合がある。斯かる照明器具は、制御デバイスに物理的に近く、したがって制御デバイスによって検出可能であるが、ユーザは、それらの存在を認識することさえできない場合がある。
【００２５】
本発明の実施形態の例は、ユーザが、制御デバイスを使用して無線接続することを欲する特定の照明器具を識別又は該照明器具の位置を正確に示す(pin-point)ことを可能にする。これは、ユーザが誤った照明器具に接続してコンフィギュレーションする、又は誤った照明器具からデータを取得する機会を低減させ、ましては斯かる機会を無くす。
【００２６】
ここで図１を参照すると、照明器具１は、ランプ部分２及びコントローラ部分３を有する。照明器具１は、例えば、家庭、オフィス若しくは公共の建物等で使用するためのものであってもよく、街灯等のためのものであってもよい。ランプ部分２は、ＬＥＤベースのランプ、ガス放電ランプ又はフィラメント電球等の少なくとも１つの光源又はランプ４を有する。
【００２７】
コントローラ部分３は、照明器具１の全体的な動作を制御するためのコントローラ５を有する。それ自体知られているように、コントローラ５は、１つ以上のプロセッサを備えてもよい。コントローラ部分３はさらに、コントローラ５と通信する無線通信インターフェース６及び光センサ７を有する。さまざまなコンポーネントの物理的な位置は、図１において概略的にのみ示されていることに留意されたい。コントローラ５、無線通信インターフェース６及び光センサ７は、本明細書では照明器具１のための装置と総称される場合がある。
【００２８】
無線通信インターフェース６は、外部デバイス及び、オプションとして、他の照明器具との無線通信を提供する。この例の無線通信インターフェース６は、無線通信及びアンテナ（図示せず）を提供するために必要な回路を含む。とりわけ、無線通信インターフェース６は、以下でさらに述べられる、制御デバイス１０との無線通信を提供する。照明器具１と制御デバイス１０との間の無線通信は、照明器具１への物理的な有線接続が不要であることを意味するので、ユーザ、インストーラ等にとって便利である。これは、照明器具１が比較的手が届かない場所（高層ビルの天井やトンネルの屋根等、街灯等）に取り付けられている場合等、多くの場合に有用である。無線通信は、例えば、ブルートゥース（登録商標）、ジグビー（登録商標）又はＷｉ−Ｆｉ（登録商標）を含む任意の適切なタイプのプロトコルを使用してもよく、照明器具１及び制御デバイス１０は、使用されるプロトコルに適切な対応する回路を有してもよい。
【００２９】
光センサ７は、一般に、例えば光検出器、フォトダイオード、光電池、フォトレジスタ又はＣＭＯＳセンサ等の光を感知する任意のデバイスであり得る。複数の光センサ７が、照明器具１の周囲のさまざまな位置に位置付けられてもよい。
【００３０】
制御デバイス１０は、照明器具１と通信するためのプロセッサ及び無線回路（参照番号１１で概略的に示される）を少なくとも有するポータブルデバイスであってもよい。制御デバイス１０は、好ましくは、スクリーン１２を有する。上述の照明器具１と通信するための無線回路に加えて、制御デバイス１０は、制御デバイス１０がセルラーネットワーク（例えば、ＧＳＭ（登録商標）(Group Special Mobile)又は２Ｇ(second generation)ネットワーク、３Ｇネットワーク、４Ｇ若しくはＬＴＥ(Long Term Evolution)ネットワーク等）を介して通信することを可能にするためのセルラー通信回路を有してもよい。制御デバイス１０は、例えば、スマートフォン、ラップトップコンピュータ、タブレットコンピュータ、パーソナルデジタルアシスタント（ＰＤＡ）又は他の何らかのモバイルコンピューティングデバイスであってもよい。
【００３１】
一例において、照明器具１の無線通信インターフェース６は、デフォルトでアドバタイジングメッセージを送信しないように動作する。アドバタイジングメッセージは、照明器具１の存在、及び無線接続目的のための無線通信インターフェース６／照明器具１の論理アドレスをアドバタイズする。無線通信インターフェース６は、このデフォルトのパッシブ状態にある間、無線デバイスからの新しい接続を受け入れないように設定されてもよい。実際には、この照明器具１が他のデバイス（他の照明器具等）と接続するために無線通信インターフェース６の使用を必要としない場合、電力を節約するために無線通信インターフェース６はオフされてもよい。
【００３２】
制御デバイス１０を照明器具１に無線で接続できるようにするために、ユーザは先ず照明器具１の光センサ７に光を当てる。光源は、例えば、制御デバイス１０に設けられた光源１３（制御デバイス１０に組み込まれたトーチ又はフラッシュライト機能等）であってもよく、又は別個のトーチ又はフラッシュライト２０等であってもよい。照明器具１のコントローラ５は、光センサ７の飽和を検出する、又は少なくとも通常の環境光レベルを超える光レベルを光センサ７が受けていることを検出する。その場合、照明器具１のコントローラ５は、無線通信インターフェース６をディスカバリモード又はアドバタイジング状態にする。（照明器具１のコントローラ５は、無線通信インターフェース６がオフされていた場合、先ず無線通信インターフェース６をオンする。）照明器具１のコントローラ５は、アドバタイジング状態を、制限された所定の時間アクティブのままにし、その後、制御デバイス１０への接続がなされない場合、無線通信インターフェース６は、上記のようにパッシブ状態に戻る又はオフされる。上述したように、アドバタイジング状態にある間、無線通信インターフェース６は、照明器具１／無線通信インターフェース６の存在及び論理アドレスをブロードキャストするアドバタイジングメッセージをブロードキャストする。
【００３３】
ユーザの制御デバイス１０は、当該照明器具１によってブロードキャストされるアドバタイジングメッセージをスキャンし、受信する。制御デバイス１０は、制御デバイス１０がアドバタイジングメッセージを受信した照明器具１に自動的に接続するように設定されてもよい。代替的に、制御デバイス１０は、（例えば、制御デバイス１０の表示スクリーン１２に検出された照明器具１に関する情報を表示することにより）制御デバイス１０がアドバタイジングメッセージを受信した照明器具１の詳細をユーザに示すように設定されてもよい。その場合、ユーザは、表示されたリストから照明器具１を選択することができ、制御デバイス１０は、照明器具１に接続することができる。制御デバイス１０は、例えば、通信に使用される無線通信プロトコルに対応する又は該無線通信プロトコルによって決定されるペアリングプロトコルを使用することにより、照明器具１／無線通信インターフェース６に接続することができる。前述のように、無線通信プロトコルは、例えば、ブルートゥース（登録商標）、ジグビー（登録商標）又はＷｉ−Ｆｉ（登録商標）等であってもよい。ブルートゥース（登録商標）の場合の具体例として、受け入れられるセキュリティリスクに応じて、Bluetooth（登録商標） "Just Works"又はBluetooth（登録商標） "PassKey"のペアリングプロトコルが使用され得る。
【００３４】
照明器具１と制御デバイス１０との間の接続が確立された後、オプションとして、照明器具１は、意図された照明器具１に接続がなされたことをユーザが確認できるように、ユーザの制御デバイス１０にフィードバックを与えることができる。また、オプションとして、照明器具１の無線通信インターフェース６は、制御デバイス１０との成功裏の接続が確立された直後にアドバタイジングメッセージの送信を停止するように制御されてもよい（この場合、無線通信インターフェース６はオンされたままである）。この時点から、ユーザは、照明器具からデータを取得する並びに／又はデータ及び制御信号等を照明器具に送信することができる。
【００３５】
制御デバイス１０及び照明器具１が接続されている間、ユーザは、制御デバイス１０を使用して、照明器具１から使用又は診断データをダウンロードすることができる。代替的又は追加的に、ユーザは、制御デバイス１０を使用して、照明器具１を更新する、例えば、照明器具１のコントローラ５及び／若しくは無線通信インターフェース６上で実行されるソフトウェアを更新する、又は照明器具１のコントローラ５及び／若しくは無線通信インターフェース６の動作特性若しくはパラメータを修正することができる。
【００３６】
しばらくの後、ユーザは、照明器具１との接続を切ることを決めるかもしれない。これは、例えば、必要な使用又は診断データが照明器具１から制御デバイス１０で受信されたため、又は制御デバイス１０が照明器具１を正常に更新したため（例えば、照明器具１のコントローラ５及び／又は無線通信インターフェース６が正常に更新されたため）であり得る。照明器具１が他のデバイス（例えば、ネットワーク内の別のユーザ又は別の照明器具）と通信するために無線通信インターフェース６を使用しない場合、照明器具のコントローラ５は、電力を節約するために無線通信インターフェース６をオフにすることを決定してもよい。
【００３７】
このようにして、ユーザは、ユーザの制御デバイス１０が接続する照明器具１を容易に選択することができ、接続を試みる前にそれを行うことができる。ユーザは、例えば、多数の照明器具を有するリストから所望の照明器具１を選択する必要はない。制御デバイス１０及び選択された照明器具１が（例えば、上述のペアリングプロトコルを使用して）接続された後、一般に、任意のタイプのデータ、例えば、ネットワークキー、プログラミングデータ、アドレス情報等が、制御デバイス１０及び選択された照明器具１の間で共有されることができる。オプションとして、制御デバイス１０が照明器具１から切断された後、照明器具１の無線通信インターフェース６は、電力を節約するためにシャットダウンされることができる。
【００３８】
上述のように、照明器具１の無線通信インターフェース６が制御デバイス１０に接続されていない場合のデフォルトのパッシブ状態では、電力を節約するために無線通信インターフェース６はオフされてもよい。その場合、照明器具１のコントローラ５は、光センサ７が照射されると先ず無線通信インターフェース６をオンし、無線通信インターフェース６は、アドバタイジングメッセージをブロードキャストするペアリング又はディスカバリモードに入る。代替例として、無線通信インターフェース６は、このデフォルト状態で既にオンされていてもよいが、ユーザが光センサ７に光を照らすことによって光センサ７がトリガされた場合にのみ、自身の存在をアドバタイズするためにアドバタイジングメッセージをブロードキャストしてもよい。さらなる代替例として、無線通信インターフェース６は常にオンであってもよい。このさらなる代替例では、光センサ７が照明されていない場合、照明器具１の無線通信インターフェース６及び／又はコントローラ５は、制御デバイス１０が照明器具１と接続してペアリングすることを許可するために、例えば制御デバイス１０を介して入力されるべきパスコード（例えば、ＰＩＮ（個人識別番号）又はパスワード）を要求してもよく、一方、光センサ７が照明されている場合、照明器具１の無線通信インターフェース６及び／又はコントローラ５は、範囲内にある制御デバイス１０との接続又はペアリングを許可してもよい。
【００３９】
照明器具１のコントローラ５は、光センサ７の飽和を検出する、又は少なくとも通常の環境光レベルを超える光レベルを光センサ７が受けていることを検出する（及び無線通信インターフェース６を例えばディスカバリモード又はアドバタイジング状態にする）ことが上述された。より一般的には、無線通信インターフェース６が例えばディスカバリモード又はアドバタイジング状態に入れられる前に閾値が光センサ７の照射に関連付けられてもよい。閾値は、例えば、光強度、照射の持続時間、ある期間にわたって受ける光の総量、光のスペクトル組成、又はそれらの任意の組み合わせに関連してもよい。
【００４０】
照明器具１の動作方法の例が、図２乃至図５を参照して述べられる。
【００４１】
図２を参照すると、最初にステップ２００において、無線通信インターフェース６（例えば、ブルートゥース（登録商標）デバイス等）は、ユーザの制御デバイス１０等の別のデバイスによるスキャンに見えない何らかのパッシブ状態にある。この例では、無線通信インターフェース６の電源は入っているが、ディスカバリ又はアドバタイジングメッセージを送信していない。これは、例えば、無線通信インターフェース６が、他のデバイスと無線で通信することを可能にする。
【００４２】
ステップ２０２において、ユーザは、無線デバイスのスキャンを開始するように制御デバイス１０を設定する。ステップ２０４において、ユーザは、該ユーザが制御デバイス１０と接続することを望む照明器具１に向けて光を照らす。（ステップ２０２及び２０４は、逆の順序で実行されてもよい。）
【００４３】
照明器具１の光センサ７を照射すると、ステップ２０６において、照明器具１のコントローラ５は、無線通信インターフェース６を、無線通信インターフェース６が照明器具１の存在をアドバタイジングメッセージをブロードキャストすることによりアドバタイズするディスカバリ又はアドバタイジング状態に入れる（ステップ２０８）。無線通信インターフェース６は、所定の時間アドバタイジング状態のままであるように設定され、その後、接続がなされなかった場合、無線通信インターフェース６は、コントローラ５によってパッシブ状態に戻される。
【００４４】
ステップ２１０において、ユーザの制御デバイス１０は、無線通信インターフェース６から１つ以上のディスカバリ又はアドバタイジングメッセージを受信することにより無線通信インターフェース６を検出する。この場合、ステップ２１２において、ユーザの制御デバイス１０は、無線通信インターフェース６との論理的なペア接続を開始する。この場合、ペア接続は、無線通信インターフェース６及び制御デバイス１０が互いにキーを渡すことにより、又は他の何らかの適切なプロセス２１４により達成される。無線通信インターフェース６は、自身が制御デバイス１０と接続されている（ステップ２１８）ことをコントローラ５に知らせる（ステップ２１６）。オプションとして、フィードバックが、意図された照明器具１に接続がなされたことをユーザが確認できるようにユーザの制御デバイス１０に与えられる（ステップ２２０）。制御デバイス１０との接続を知ると、コントローラ５は、アドバタイジング又は他のディスカバリメッセージの送信を停止するように無線通信インターフェース６に命令する（ステップ２２２）。無線通信インターフェース６は、例えば、他のデバイスによるスキャンには見えないが、ここでは、接続された制御デバイス１０と通信することができる、パッシブ状態に入れられてもよい（ステップ２２４）。
【００４５】
その後、照明器具１及び制御デバイス１０は、所望に応じて、及びオプションとしてユーザによって決定されるように、無線通信インターフェース６を介してデータを交換することができる（ステップ２２６）。この一部として、照明器具１のコントローラ５及び無線通信インターフェース６もデータを交換してもよい（ステップ２２８）。
【００４６】
ステップ２３０において、ユーザは、照明装置１の無線通信インターフェース６から制御デバイス１０を切断する。ステップ２３２において、無線通信インターフェース６は、切断(disconnection)をコントローラ５に知らせる。
【００４７】
図３は、図２を参照して上述した例の変形例のステップを概略的に示している。図２を参照して上述したものと同一又は類似のステップは、同じ参照番号を有するが、１００だけ増加されており、簡潔にするためにここでは詳細に説明しない。
【００４８】
この例では、最初にステップ３０１において、無線通信インターフェース６はオフされている。これは、例えば、無線通信インターフェース６が他の無線デバイスと通信していない場合に利用可能なオプションである。図２の例と比較して、光センサ７が照射されたことをコントローラ５が検出すると、コントローラ５は、無線通信インターフェース６をパワーオンする（ステップ３０５）。この場合、ステップ３０６において、照明器具１のコントローラ５は、無線通信インターフェース６を、無線通信インターフェース６が照明器具１の存在をアドバタイジングメッセージをブロードキャストすることによりアドバタイズするディスカバリ又はアドバタイジング状態に入れる（ステップ３０８）。例えば、制御デバイス１０及び無線通信インターフェース６の間のデータのペアリング及び交換を含む直後のステップは、図２を参照して上述したものと同一又は類似であってもよい。
【００４９】
ステップ３３２において、無線通信インターフェース６が制御デバイス１０からの切断をコントローラ５に知らせた後、この例では、コントローラ５は、無線通信インターフェース６をパワーオフする（ステップ３３５）ために制御信号を無線通信インターフェース６に送信する（ステップ３３３）。これは、照明器具１による電力消費を最小限にする。
【００５０】
図４は、制御デバイスへの接続が正常に確立されない方法の例を概略的に示している。図２を参照して上述したものと同一又は類似のステップは、同じ参照番号を有するが、２００だけ増加されており、簡潔にするためにここでは詳細に説明しない。
【００５１】
ステップ４０８において、照明器具１の無線通信インターフェース６は、無線通信インターフェース６が照明器具１の存在をアドバタイジングメッセージをブロードキャストすることによりアドバタイズするディスカバリ又はアドバタイジング状態に入れられている（ステップ４０６）。この例では、無線通信インターフェース６は、Ｘ秒の所定時間の間アドバタイジング状態のままであるように設定されている。この例では、Ｘ秒の所定時間が満了した後、制御デバイス１０への接続はなされていない。これはコントローラ５によって認識され（ステップ４０９）、その結果、コントローラ５は、無線通信インターフェース６が他のデバイスによるスキャンには見えないパッシブ状態に戻る（ステップ４２４）ように無線通信インターフェース６に命令する（ステップ４１１）。
【００５２】
図５は、図４を参照して上述した例の変形例のステップを概略的に示している。図４を参照して上述したものと同一又は類似のステップは、同じ参照番号を有するが、１００だけ増加されており、簡潔にするためにここでは詳細に説明しない。
【００５３】
この例では、最初にステップ５０１において、無線通信インターフェース６はオフされている。ここでも、これは、例えば、無線通信インターフェース６が他の無線デバイスと通信していない場合に利用可能なオプションである。図４の例と比較して、光センサ７が照射されたことをコントローラ５が検出すると、コントローラ５は、無線通信インターフェース６をパワーオンする（ステップ５０５）。この場合、ステップ５０６において、照明器具１のコントローラ５は、無線通信インターフェース６を、無線通信インターフェース６が照明器具１の存在をアドバタイジングメッセージをブロードキャストすることによりアドバタイズするディスカバリ又はアドバタイジング状態に入れる（ステップ５０８）。
【００５４】
この例では、Ｘ秒の所定時間が満了した後、制御デバイス１０への接続はなされていなく、コントローラ５は、無線通信インターフェース６が他のデバイスによるスキャンには見えないパッシブ状態に戻る（ステップ５２４）ように無線通信インターフェース６に命令する（ステップ５１１）。この例では、コントローラ５はまた、無線通信インターフェース６をパワーオフする（ステップ５３５）ために制御信号を無線通信インターフェース６に送信する（ステップ５３３）。これは、照明器具１による電力消費を最小限にする。
【００５５】
本明細書で言及されるプロセッサ又は処理システム又は回路は、実際には、オプションとしてチップセット、特定用途向け集積回路（ASIC）、フィールドプログラマブルゲートアレイ（FPGA）、デジタルシグナルプロセッサ（DSP）、グラフィックスプロセッシングユニット（GPU）等として提供される単一のチップ若しくは集積回路又は複数のチップ若しくは集積回路によって提供されてもよいことを理解されたい。単一又は複数のチップは、例示的な実施形態に従って動作するようにコンフィギュラブルである、１つ以上のデータプロセッサ、１つ以上のデジタルシグナルプロセッサ、ベースバンド回路及び無線周波数回路のうちの少なくとも１つ以上を具現化するための回路（及び可能であればファームウェア）を備えてもよい。これに関して、例示的な実施形態は、少なくとも部分的に、（非一時的）メモリに格納され、プロセッサ若しくはハードウェアによって実行可能なコンピュータソフトウェアによって、又は有形に格納されたソフトウェア及びハードウェア（及び有形に格納されたファームウェア）の組み合わせによって実装されてもよい。
【００５６】
添付の特許請求の範囲において、用語「含む」は他の要素又はステップを除外せず、不定冠詞「a」又は「an」は複数を除外しない。単一のプロセッサ又は他のユニットが、請求項に列挙されたいくつかの項眼の機能を果たすことができる。特定の手段が相互に異なる従属請求項に列挙されているという単なる事実は、これらの手段の組み合わせが有利に使用できないことを示すものではない。コンピュータプログラムは、他のハードウェアと一緒に又は他のハードウェアの一部として供給される光学記憶媒体又は固体媒体等の適切な媒体上に記憶／頒布されてもよいが、インターネット又は他の有線若しくは無線の電気通信システム等の他の形態で頒布されてもよい。請求項中の参照符号は、範囲を限定するものとして解釈されるべきではない。
【図１】
2020516027.tif 000003
【図２】
2020516027.tif 000004
【図３】
2020516027.tif 000005
【図４】
2020516027.tif 000006
【図５】
2020516027.tif 000007
【国際調査報告】
2020516027.tif 000008
2020516027.tif 000009
2020516027.tif 000010